【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
電子機器に接続又は内蔵される入力装置であって、ユーザの発する音及びユーザの動きのうち少なくともいずれかを認識して前記電子機器に対する操作コマンドへ変換する入力装置において、
操作コマンドの認識率に影響を与える、前記入力装置の現在の外部環境に関する情報を取得する環境取得手段と、
外部環境と操作コマンドの認識率との対応関係に関する情報を記憶している記憶手段と、
前記環境取得手段により取得された情報と前記記憶手段に記憶されている情報とに基づいて、現在の外部環境における操作コマンドの認識率に関する情報を表示部に表示する表示手段と、
を有することを特徴とする入力装置。
【請求項２】
前記環境取得手段により取得された情報と前記記憶手段に記憶されている情報とに基づいて、現在の外部環境における操作コマンドの認識率を取得する認識率取得手段をさらに有し、
前記表示手段は、前記認識率取得手段で取得された認識率に関する情報を前記表示部に表示する
ことを特徴とする請求項１に記載の入力装置。
【請求項３】
操作コマンドの認識の成功及び失敗の履歴を、操作コマンドの認識率に関する情報として、外部環境ごとに前記記憶手段に記録する履歴記録手段をさらに有し、
前記認識率取得手段は、前記記憶手段に記録された前記外部環境ごとの履歴のうち、現在の外部環境に対応する履歴から、現在の外部環境における操作コマンドの認識率を算出する
ことを特徴とする請求項２に記載の入力装置。
【請求項４】
前記入力装置は、消費電力の異なる複数の動作モードを有し、動作モードごとに操作コマンドの認識率が異なっており、
前記記憶手段は、動作モードと操作コマンドの認識率との対応関係に関する情報をさらに記憶しており、
前記認識率取得手段は、現在の動作モードをさらに考慮して、現在の外部環境における操作コマンドの認識率を取得する
ことを特徴とする請求項２または３に記載の入力装置。
【請求項５】
ユーザを識別するユーザ識別手段をさらに有し、
前記記憶手段は、ユーザと操作コマンドの認識率との対応関係に関する情報をさらに記憶しており、
前記認識率取得手段は、前記ユーザ識別手段により識別された現在のユーザをさらに考慮して、現在の外部環境における操作コマンドの認識率を取得する
ことを特徴とする請求項２〜４のいずれか１項に記載の入力装置。
【請求項６】
ユーザの位置を判定する位置判定手段をさらに有し、
前記記憶手段は、ユーザの位置と操作コマンドの認識率との対応関係に関する情報をさらに記憶しており、
前記認識率取得手段は、前記位置判定手段により判定された現在のユーザの位置をさらに考慮して、現在の外部環境における操作コマンドの認識率を取得する
ことを特徴とする請求項２〜５のいずれか１項に記載の入力装置。
【請求項７】
現在のユーザとして複数のユーザが存在する場合に、
前記認識率取得手段は、現在の外部環境における操作コマンドの認識率として、前記複数のユーザに対応する複数の認識率を取得し、
前記表示手段は、現在の外部環境における操作コマンドの認識率に関する情報として、前記複数のユーザに対応する複数の情報を前記表示部に表示する
ことを特徴とする請求項５または６に記載の入力装置。
【請求項８】
前記複数のユーザに対応する複数の情報を一度に表示できない場合に、前記表示手段は、当該複数の情報が複数回に分けて前記表示部に表示されるように、所定時間おきに表示する情報を切り換える
ことを特徴とする請求項７に記載の入力装置。
【請求項９】
マイクロホンから入力される音声からユーザの発する音を認識して操作コマンドへ変換する第１の認識処理を行う第１の認識手段と、
撮像装置から入力される映像からユーザの動きを認識して操作コマンドへ変換する第２の認識処理を行う第２の認識手段と、
をさらに有し、
前記第１の認識処理と第２の認識処理のそれぞれについて、個別に、現在の外部環境における操作コマンドの認識率に関する情報が表示される
ことを特徴とする請求項１〜８のいずれか１項に記載の入力装置。
【請求項１０】
前記第１の認識処理の認識率に関する情報は、前記マイクロホンに近接する位置に表示され、
前記第２の認識処理の認識率に関する情報は、前記撮像装置に近接する位置に表示される
ことを特徴とする請求項９に記載の入力装置。
【請求項１１】
前記入力装置の状態を、操作コマンド受け付け可能状態か操作コマンド受け付け不可能状態に切り換える制御手段をさらに有し、
前記表示手段は、前記入力装置の状態が前記操作コマンド受け付け可能状態であるときにのみ、現在の外部環境における認識率に関する情報を前記表示部に表示する
ことを特徴とする請求項１〜１０のいずれか１項に記載の入力装置。
【請求項１２】
マイクロホンから入力される音声からユーザの発する音を認識して操作コマンドへ変換する第１の認識処理を行う第１の認識手段をさらに有し、
前記第１の認識処理の認識率に影響を与える外部環境に関する情報は、前記マイクロホンから入力される音声の音量である
ことを特徴とする請求項１〜１１のいずれか１項に記載の入力装置。
【請求項１３】
撮像装置から入力される映像からユーザの動きを認識して操作コマンドへ変換する第２の認識処理を行う第２の認識手段をさらに有し、
前記第２の認識処理の認識率に影響を与える外部環境に関する情報は、前記撮像装置から入力される映像の明るさである
ことを特徴とする請求項１〜１２のいずれか１項に記載の入力装置。
【請求項１４】
現在の外部環境における操作コマンドの認識率に関する情報は、レベルメータ、数字、アイコンの図柄、及び、ランプの色のいずれかの形式の情報を含む
ことを特徴とする請求項１〜１３のいずれか１項に記載の入力装置。
【請求項１５】
電子機器に接続又は内蔵される入力装置であって、ユーザの発する音及びユーザの動きのうち少なくともいずれかを認識して前記電子機器に対する操作コマンドへ変換する入力装置の制御方法において、
操作コマンドの認識率に影響を与える、前記入力装置の現在の外部環境に関する情報を取得する環境取得ステップと、
外部環境と操作コマンドの認識率との対応関係に関する情報を記憶している記憶手段に記憶されている情報と、前記環境取得ステップで取得された情報とに基づいて、現在の外部環境における操作コマンドの認識率に関する情報を表示部に表示する表示ステップと、を有することを特徴とする入力装置の制御方法。
【請求項１６】
前記環境取得ステップで取得された情報と前記記憶手段に記憶されている情報とに基づいて、現在の外部環境における操作コマンドの認識率を取得する認識率取得ステップをさらに有し、
前記表示ステップでは、前記認識率取得ステップで取得された認識率に関する情報が前記表示部に表示される
ことを特徴とする請求項１５に記載の入力装置の制御方法。
【請求項１７】
操作コマンドの認識の成功及び失敗の履歴を、操作コマンドの認識率に関する情報として、外部環境ごとに前記記憶手段に記録する履歴記録ステップをさらに有し、
前記認識率取得ステップでは、前記記憶手段に記録された前記外部環境ごとの履歴のうち、現在の外部環境に対応する履歴から、現在の外部環境における操作コマンドの認識率が算出される
ことを特徴とする請求項１６に記載の入力装置の制御方法。
【請求項１８】
前記入力装置は、消費電力の異なる複数の動作モードを有し、動作モードごとに操作コマンドの認識率が異なっており、
前記記憶手段は、動作モードと操作コマンドの認識率との対応関係に関する情報をさらに記憶しており、
前記認識率取得ステップでは、現在の動作モードをさらに考慮して、現在の外部環境における操作コマンドの認識率が取得される
ことを特徴とする請求項１６または１７に記載の入力装置の制御方法。
【請求項１９】
ユーザを識別するユーザ識別ステップをさらに有し、
前記記憶手段は、ユーザと操作コマンドの認識率との対応関係に関する情報をさらに記憶しており、
前記認識率取得ステップでは、前記ユーザ識別ステップで識別された現在のユーザをさらに考慮して、現在の外部環境における操作コマンドの認識率が取得される
ことを特徴とする請求項１６〜１８のいずれか１項に記載の入力装置の制御方法。
【請求項２０】
ユーザの位置を判定する位置判定ステップをさらに有し、
前記記憶手段は、ユーザの位置と操作コマンドの認識率との対応関係に関する情報をさらに記憶しており、
前記認識率取得ステップでは、前記位置判定ステップで判定された現在のユーザの位置をさらに考慮して、現在の外部環境における操作コマンドの認識率が取得される
ことを特徴とする請求項１６〜１９のいずれか１項に記載の入力装置の制御方法。
【請求項２１】
現在のユーザとして複数のユーザが存在する場合に、
前記認識率取得ステップでは、現在の外部環境における操作コマンドの認識率として、前記複数のユーザに対応する複数の認識率が取得され、
前記表示ステップでは、現在の外部環境における操作コマンドの認識率に関する情報として、前記複数のユーザに対応する複数の情報が前記表示部に表示される
ことを特徴とする請求項１９または２０に記載の入力装置の制御方法。
【請求項２２】
前記複数のユーザに対応する複数の情報を一度に表示できない場合に、前記表示ステップでは、当該複数の情報が複数回に分けて前記表示部に表示されるように、所定時間おきに表示する情報が切り換えられる
ことを特徴とする請求項２１に記載の入力装置の制御方法。
【請求項２３】
マイクロホンから入力される音声からユーザの発する音を認識して操作コマンドへ変換する第１の認識処理を行う第１の認識ステップと、
撮像装置から入力される映像からユーザの動きを認識して操作コマンドへ変換する第２の認識処理を行う第２の認識ステップと、
をさらに有し、
前記第１の認識処理と第２の認識処理のそれぞれについて、個別に、現在の外部環境における操作コマンドの認識率に関する情報が表示される
ことを特徴とする請求項１５〜２２のいずれか１項に記載の入力装置の制御方法。
【請求項２４】
前記第１の認識処理の認識率に関する情報は、前記マイクロホンに近接する位置に表示され、
前記第２の認識処理の認識率に関する情報は、前記撮像装置に近接する位置に表示される
ことを特徴とする請求項２３に記載の入力装置の制御方法。
【請求項２５】
前記入力装置の状態を、操作コマンド受け付け可能状態か操作コマンド受け付け不可能状態に切り換える制御ステップをさらに有し、
前記表示ステップでは、前記入力装置の状態が前記操作コマンド受け付け可能状態であるときにのみ、現在の外部環境における認識率に関する情報が前記表示部に表示される
ことを特徴とする請求項１５〜２４のいずれか１項に記載の入力装置の制御方法。
【請求項２６】
マイクロホンから入力される音声からユーザの発する音を認識して操作コマンドへ変換する第１の認識処理を行う第１の認識ステップをさらに有し、
前記第１の認識処理の認識率に影響を与える外部環境に関する情報は、前記マイクロホンから入力される音声の音量である
ことを特徴とする請求項１５〜２５のいずれか１項に記載の入力装置の制御方法。
【請求項２７】
撮像装置から入力される映像からユーザの動きを認識して操作コマンドへ変換する第２の認識処理を行う第２の認識ステップをさらに有し、
前記第２の認識処理の認識率に影響を与える外部環境に関する情報は、前記撮像装置から入力される映像の明るさである
ことを特徴とする請求項１５〜２６のいずれか１項に記載の入力装置の制御方法。
【請求項２８】
現在の外部環境における操作コマンドの認識率に関する情報は、レベルメータ、数字、アイコンの図柄、及び、ランプの色のいずれかの形式の情報を含む
ことを特徴とする請求項１５〜２７のいずれか１項に記載の入力装置の制御方法。
【手続補正２】
【補正対象書類名】明細書
【補正対象項目名】０００８
【補正方法】変更
【補正の内容】
【０００８】
本発明の入力装置は、電子機器に接続又は内蔵される入力装置であって、ユーザの発する音及びユーザの動きのうち少なくともいずれかを認識して電子機器に対する操作コマンドへ変換する入力装置において、操作コマンドの認識率に影響を与える、入力装置の現在の外部環境に関する情報を取得する環境取得手段と、外部環境と操作コマンドの認識率との対応関係に関する情報を記憶している記憶手段と、環境取得手段により取得された情報と記憶手段に記憶されている情報とに基づいて、現在の外部環境における操作コマンドの認識率に関する情報を表示部に表示する表示手段と、を有する。
【手続補正３】
【補正対象書類名】明細書
【補正対象項目名】０００９
【補正方法】変更
【補正の内容】
【０００９】
本発明の入力装置の制御方法は、電子機器に接続又は内蔵される入力装置であって、ユーザの発する音及びユーザの動きのうち少なくともいずれかを認識して電子機器に対する操作コマンドへ変換する入力装置の制御方法において、操作コマンドの認識率に影響を与える、入力装置の現在の外部環境に関する情報を取得する環境取得ステップと、外部環境と操作コマンドの認識率との対応関係に関する情報を記憶している記憶手段に記憶されている情報と、環境取得ステップで取得された情報とに基づいて、現在の外部環境における操作コマンドの認識率に関する情報を表示部に表示する表示ステップと、を有する。